(57)【特許請求の範囲】
【請求項１】
モルタル充填用袋体を備えたライナープレートを連結して、周方向全周に渡りモルタル充填用袋体を備えたライナープレートリングを構築した後、前記モルタル充填用袋体内にモルタルを充填して、前記ライナープレートの波形鋼板と地山とを一体化する立坑の構築方法であって、
モルタル充填用袋体を備えていないライナープレートリングの下方へ、モルタル充填用袋体を備えたライナープレートリングを連結し、前記モルタル充填用袋体内にモルタルを充填して硬化させて環状支持部を形成した後、その環状支持部で支持しつつモルタル充填用袋体を備えていないライナープレートの注入口からモルタルを充填することを特徴とする立坑の構築方法。
【請求項２】
立坑を構築するライナープレートの地山側となる背面に袋体本体が設置されモルタルが充填されるモルタル充填用袋体であって、前記袋体は、袋体本体と注入用筒状体と取付部を備え、前記袋体本体は、通気性を有する繊維材からなると共に、内部へ連通する注入用筒状体の基端部が縫着されて設けられ、前記取付部は、前記袋体本体の上部から延長されて、上下に隣り合うライナープレートの間に挟んで設置される態様で設けられているモルタル充填用袋体における袋体本体が、ライナープレートにおける地山側となる背面に設置され、モルタル充填用袋体における前記注入用筒状体がライナープレートの波形鋼板に設けられた孔に挿通されて、前記注入用筒状体の先端側が、ライナープレートにおける立坑内側となる正面側に引き出されて配置されているモルタル充填用袋体を備えたライナープレートを、ライナープレートで構築されている立坑における先に接続された下端側のライナープレートリングの下側に配置し、かつ前記ライナープレートリングのライナープレートと前記モルタル充填用袋体を備えたライナープレートとの上下に隣り合う周方向フランジ間に取付部を挟んだ状態で配置し、上下に隣り合うライナープレートの各周方向フランジと前記取付部とに渡って挿通されたボルト及びこれにねじ込まれるナットにより、モルタル充填用袋体の取付部を固定し、周方向に隣り合うモルタル充填用袋体を備えたライナープレートの軸方向フランジ相互をボルト及びこれにねじ込まれるナットにより連結して、周方向全周に渡りモルタル充填用袋体を備えたライナープレートリングを前記先に接続された下端側のライナープレートリングの下側に構築した後、前記個々のモルタル充填用袋体内にモルタルを充填して、モルタル充填用袋体をライナープレートの波形鋼板に圧着すると共に地山に圧着して一体化する立坑の構築方法であって、
モルタル充填用袋体を備えていない複数のライナープレートによる先に接続されたライナープレートリングの下方へ、モルタル充填用袋体を備えたライナープレートによるライナープレートリングが構築された場合に、個々の前記モルタル充填用袋体内にモルタルを充填して硬化させることで、複数のモルタル充填用袋体により環状支持部を形成し、その環状支持部の上の先に接続されたライナープレートリングと地山との隙間に、モルタル充填用袋体を備えていないライナープレートの注入口からモルタルを充填して、その充填したモルタルの荷重を前記環状支持部に支持させることを特徴とする立坑の構築方法。
【発明の詳細な説明】
【技術分野】
【０００１】
本発明は、発進・到達用立坑等に用いられる立坑等のライナープレートに用いられるモルタル充填用袋体、及び立坑を形成するため用いられるライナープレート並びに立坑の構築方法に関する。
【背景技術】
【０００２】
従来、立坑を構築する場合に、図１５に示すように、余掘りにより、ライナープレート２と地山２３との間の隙間２６に、裏込め用のモルタル１８を充填してモルタル層３３を形成し、これにより、隙間２６をなくし、隙間２６がある場合の上方からの転石を防止し、かつ、ライナープレート２と地山２３とを裏込め用のモルタル１８を介して強固に一体化した立坑１５が知られている。このようにモルタル層３３を形成する場合には、ライナープレート２と地山２３との強固な一体化を望める利点があり、撤去可能な仮設構造物としての立坑として、又は永久構造物としての立坑１５を構築することができるという利点がある。また、硬化したモルタル層３３により、隙間２６の下端からの転石の落下或いは崩落が生じた場合に、作業員が怪我をする恐れを防止できる利点がある。
【０００３】
前記のような立坑１５を構築する場合には、次の（１）〜（２）のような工程を交互に施工して構築される。
【０００４】
（１）新たなライナープレート２を立坑内に搬入して、上位のライナープレートリングに対して、下方に向って新たなライナープレート２を連結して下部に新たなライナープレートリングを形成し、新たなライナープレート２によるライナープレートリング３４と地山２３との余掘りによる隙間２６下端を閉塞するための型枠代わりに、下端のライナープレートリング３４の下部の隙間２６を下端閉塞用盛り土３５により閉塞してモルタル１８の流出防止を図った状態とし、その後、前記新たな下端ライナープレートリング３４の内側から前記隙間２６にモルタル１８を充填してモルタル層３３を形成する工程。
【０００５】
（２）前記モルタル層３３を養生硬化した後、下端閉塞用盛り土３５を撤去し、縦孔内の底部地盤２５を掘り下げて、下端ライナープレートリング３４の下側に、新たなライナープレート２によるライナープレートリングを形成するための空間を形成する工程。
【０００６】
前記の（１）及び（２）の２つの工程を交互に繰り返す構築方法により施工するようになるため、モルタル層３３の養生硬化に時間を要すると共に、下端閉塞用盛り土３５の撤去作業・設置作業とが交互に必要になり、大型の立坑になるほど、施工が煩雑になると共に施工工期が長く、施工コストが高くなるという問題がある。
また、ライナープレートに充填用孔及びバルブを設けるようになるため、その分、ライナープレート自体の構造が複雑になり高価になるという問題がある。
【０００７】
また、図１４に示すように、縦孔掘削時の余掘りによるライナープレート２と掘削部分１６の地山２３との間の隙間２６に、エアーマット３６を設けて、余掘りによる隙間２６を塞ぐことも知られている（例えば、特許文献１、２参照）。
【０００８】
前記のように、余掘りによるライナープレート２と掘削部分１６の地山２３との間の隙間２６に、エアーマット３６を設けた場合には、隙間２６の上方からの転石を防止することができるが、空気を用いたエアーマット３６であるため、そのマット上方の隙間２６にモルタルを充填する場合には、重量が重くなるため、エアーマット３６によりモルタル重量を支えることが困難であるという問題がある。また、エアーマット３６を用いた場合には、長期に渡り空気圧を一定に保つことができないため、仮設の立坑に利用できても、永久構造物の立坑とすることは困難であるという問題がある。
【先行技術文献】
【特許文献】
【０００９】
【特許文献１】特開昭５７−１７２０９５号公報
【特許文献２】特開平８−２９６３９１号公報
【発明の概要】
【発明が解決しようとする課題】
【００１０】
そこで、本発明の場合は、ライナープレートの背面側にモルタルを上下方向に部分的に又は上下方向全体に充填する形態の場合で、容易に撤去可能な仮設用構造物又は本設用の永久構造物のいずれの場合にも適用可能で、ライナープレート背面と掘削部分の地山との隙間からの転石の落下或いは掘削部分の地山の崩落が生じた場合に、立坑内においてその構築作業をしている作業員の怪我を防止することが可能な、ライナープレートに用いられるモルタル充填用袋体、及び立坑を形成するため用いられるライナープレート並びに立坑の構築方法を提供することを目的とする。
【課題を解決するための手段】
【００１５】
第１発明の立坑の構築方法は、モルタル充填用袋体を備えたライナープレートを連結して、周方向全周に渡りモルタル充填用袋体を備えたライナープレートリングを構築した後、前記モルタル充填用袋体内にモルタルを充填して、前記ライナープレートの波形鋼板と地山とを一体化する立坑の構築方法であって、モルタル充填用袋体を備えていないライナープレートリングの下方へ、モルタル充填用袋体を備えたライナープレートリングを連結し、前記モルタル充填用袋体内にモルタルを充填して硬化させて環状支持部を形成した後、その環状支持部で支持しつつモルタル充填用袋体を備えていないライナープレートの注入口からモルタルを充填することを特徴とする。
【００１６】
第２発明では、立坑を構築するライナープレートの地山側となる背面に袋体本体が設置されモルタルが充填されるモルタル充填用袋体であって、前記袋体は、袋体本体と注入用筒状体と取付部を備え、前記袋体本体は、通気性を有する繊維材からなると共に、内部へ連通する注入用筒状体の基端部が縫着されて設けられ、前記取付部は、前記袋体本体の上部から延長されて、上下に隣り合うライナープレートの間に挟んで設置される態様で設けられているモルタル充填用袋体における袋体本体が、ライナープレートにおける地山側となる背面に設置され、モルタル充填用袋体における前記注入用筒状体がライナープレートの波形鋼板に設けられた孔に挿通されて、前記注入用筒状体の先端側が、ライナープレートにおける立坑内側となる正面側に引き出されて配置されているモルタル充填用袋体を備えたライナープレートを、ライナープレートで構築されている立坑における先に接続された下端側のライナープレートリングの下側に配置し、かつ前記ライナープレートリングのライナープレートと前記モルタル充填用袋体を備えたライナープレートとの上下に隣り合う周方向フランジ間に取付部を挟んだ状態で配置し、上下に隣り合うライナープレートの各周方向フランジと前記取付部とに渡って挿通されたボルト及びこれにねじ込まれるナットにより、モルタル充填用袋体の取付部を固定し、周方向に隣り合うモルタル充填用袋体を備えたライナープレートの軸方向フランジ相互をボルト及びこれにねじ込まれるナットにより連結して、周方向全周に渡りモルタル充填用袋体を備えたライナープレートリングを前記先に接続された下端側のライナープレートリングの下側に構築した後、前記個々のモルタル充填用袋体内にモルタルを充填して、モルタル充填用袋体をライナープレートの波形鋼板に圧着すると共に地山に圧着して一体化する立坑の構築方法であって、モルタル充填用袋体を備えていない複数のライナープレートによる先に接続されたライナープレートリングの下方へ、モルタル充填用袋体を備えたライナープレートによるライナープレートリングが構築された場合に、個々の前記モルタル充填用袋体内にモルタルを充填して硬化させることで、複数のモルタル充填用袋体により環状支持部を形成し、その環状支持部の上の先に接続されたライナープレートリングと地山との隙間に、モルタル充填用袋体を備えていないライナープレートの注入口からモルタルを充填して、その充填したモルタルの荷重を前記環状支持部に支持させることを特徴とする。
【発明の効果】
【００２１】
第１発明の立坑の構築方法では、モルタル充填用袋体を備えたライナープレートを連結して、周方向全周に渡りモルタル充填用袋体を備えたライナープレートリングを構築した後、前記モルタル充填用袋体内にモルタルを充填して、前記ライナープレートの波形鋼板と地山とを一体化する立坑の構築方法であって、モルタル充填用袋体を備えていないライナープレートリングの下方へ、モルタル充填用袋体を備えたライナープレートリングを連結し、前記モルタル充填用袋体内にモルタルを充填して硬化させて環状支持部を形成した後、その環状支持部で支持しつつモルタル充填用袋体を備えていないライナープレートの注入口からモルタルを充填するので、ライナープレートの波形鋼板の凹凸に食い込むようにモルタル充填用袋体の前面側を圧着することができると共に、モルタル充填用袋体の背面側を地山に圧着した状態で設置することができるため、ライナープレートをモルタル充填用袋体を介して強固に設置した立坑を容易に構築することができる。また、従来のように、モルタルを充填するために、隙間下端を閉塞するための下端閉塞用盛り土の形成及び立坑構築再開時における下端閉塞用盛り土の撤去作業も省略することができるため、施工が容易になる等の効果が得られる。また、モルタルを充填した周方向の多数のモルタル充填用袋体によりリング状の環状支持部が形成されるため、上方からの転石等をリング状の環状支持部により支持することができる。また、モルタル充填用袋体内のモルタルが充填されて硬化した後においては、ライナープレートリングの環状支持部の形状が安定し、従来のように袋内に空気を充填する場合に比べて、ライナープレートリングが水平方向に移動することがない。また、従来の場合は、袋内に空気を充填した場合には小さな転石を支承することができても、袋体上方の隙間にモルタルを充填する場合には、その重量を支承できないが、本発明の場合には、転石を支承する場合、袋体上方の隙間にモルタルを充填する場合でも、確実に支承することができる。また、本発明の場合は、モルタル充填用袋体を備えたライナープレートを用いる形態であるので、モルタルの養生・硬化を待たずに下方に向って立坑を構築することができるので、施工工期を短縮することができる等の効果が得られる。さらに、ライナープレートの波形鋼板の凹凸に食い込むようにモルタル充填用袋体の前面側を圧着することができると共に、モルタル充填用袋体の背面側を地山に圧着した状態で設置することができるため、ライナープレートをモルタル充填用袋体を介して強固に設置した立坑を容易に構築することができる。また、本発明の場合は、モルタルが充填されたモルタル充填用袋体を備えたライナープレートにより、周方向にリング状の環状支持部を形成して、その上方に充填されるモルタルを確実に支承することができ、全ての充填されたモルタルが養生・硬化されることで、強固な立坑を容易に短工期で形成することができる等の効果が得られる。
【００２２】
第２発明の立坑の構築方法では、立坑を構築するライナープレートの地山側となる背面に袋体本体が設置されモルタルが充填されるモルタル充填用袋体であって、前記袋体は、袋体本体と注入用筒状体と取付部を備え、前記袋体本体は、通気性を有する繊維材からなると共に、内部へ連通する注入用筒状体の基端部が縫着されて設けられ、前記取付部は、前記袋体本体の上部から延長されて、上下に隣り合うライナープレートの間に挟んで設置される態様で設けられているモルタル充填用袋体における袋体本体が、ライナープレートにおける地山側となる背面に設置され、モルタル充填用袋体における前記注入用筒状体がライナープレートの波形鋼板に設けられた孔に挿通されて、前記注入用筒状体の先端側が、ライナープレートにおける立坑内側となる正面側に引き出されて配置されているモルタル充填用袋体を備えたライナープレートを、ライナープレートで構築されている立坑における先に接続された下端側のライナープレートリングの下側に配置し、かつ前記ライナープレートリングのライナープレートと前記モルタル充填用袋体を備えたライナープレートとの上下に隣り合う周方向フランジ間に取付部を挟んだ状態で配置し、上下に隣り合うライナープレートの各周方向フランジと前記取付部とに渡って挿通されたボルト及びこれにねじ込まれるナットにより、モルタル充填用袋体の取付部を固定し、周方向に隣り合うモルタル充填用袋体を備えたライナープレートの軸方向フランジ相互をボルト及びこれにねじ込まれるナットにより連結して、周方向全周に渡りモルタル充填用袋体を備えたライナープレートリングを前記先に接続された下端側のライナープレートリングの下側に構築した後、前記個々のモルタル充填用袋体内にモルタルを充填して、モルタル充填用袋体をライナープレートの波形鋼板に圧着すると共に地山に圧着して一体化する立坑の構築方法であって、モルタル充填用袋体を備えていない複数のライナープレートによる先に接続されたライナープレートリングの下方へ、モルタル充填用袋体を備えたライナープレートによるライナープレートリングが構築された場合に、個々の前記モルタル充填用袋体内にモルタルを充填して硬化させることで、複数のモルタル充填用袋体により環状支持部を形成し、その環状支持部の上の先に接続されたライナープレートリングと地山との隙間に、モルタル充填用袋体を備えていないライナープレートの注入口からモルタルを充填して、その充填したモルタルの荷重を前記環状支持部に支持させるので、ライナープレートの波形鋼板の凹凸に食い込むようにモルタル充填用袋体の前面側を圧着することができると共に、モルタル充填用袋体の背面側を地山に圧着した状態で設置することができるため、ライナープレートをモルタル充填用袋体を介して強固に設置した立坑を容易に構築することができる。また、従来のように、モルタルを充填するために、隙間下端を閉塞するための下端閉塞用盛り土の形成及び立坑構築再開時における下端閉塞用盛り土の撤去作業も省略することができるため、施工が容易になる等の効果が得られる。また、モルタルを充填した周方向の多数のモルタル充填用袋体によりリング状の環状支持部が形成されるため、上方からの転石等をリング状の環状支持部により支持することができる。また、モルタル充填用袋体内のモルタルが充填されて硬化した後においては、ライナープレートリングの環状支持部の形状が安定し、従来のように袋内に空気を充填する場合に比べて、ライナープレートリングが水平方向に移動することがない。また、従来の場合は、袋内に空気を充填した場合には小さな転石を支承することができても、袋体上方の隙間にモルタルを充填する場合には、その重量を支承できないが、本発明の場合には、転石を支承する場合、袋体上方の隙間にモルタルを充填する場合でも、確実に支承することができる。また、本発明の場合は、モルタル充填用袋体を備えたライナープレートを用いる形態であるので、モルタルの養生・硬化を待たずに下方に向って立坑を構築することができるので、施工工期を短縮することができる等の効果が得られる。さらに、ライナープレートの波形鋼板の凹凸に食い込むようにモルタル充填用袋体の前面側を圧着することができると共に、モルタル充填用袋体の背面側を地山に圧着した状態で設置することができるため、ライナープレートをモルタル充填用袋体を介して強固に設置した立坑を容易に構築することができる。また、本発明の場合は、モルタルが充填されたモルタル充填用袋体を備えたライナープレートにより、周方向にリング状の環状支持部を形成して、その上方に充填されるモルタルを確実に支承することができ、全ての充填されたモルタルが養生・硬化されることで、強固な立坑を容易に短工期で形成することができる等の効果が得られる。
【図面の簡単な説明】
【００２３】
【図１】本発明の一実施形態のモルタル充填用袋体を示す正面側の斜視図である。
【図２】図１のＡ−Ａ矢視図である。
【図３】（ａ）は図１の断面図、（ｂ）は（ａ）の上部付近を拡大して示す図である。
【図４】流出防止を図るための結束用の紐体を備えたセメント系充填材の注入口付近を示す断面図である。
【図５】モルタル充填用袋体を備えた立坑用のライナープレートの一形態を示すものであって、（ａ）は一部切り欠き斜視図、（ｂ）は断面図である。
【図６】（ａ）は図５に示すモルタル充填用袋体を備えた立坑用のライナープレートの正面図、（ｂ）は（ａ）の平面図である。
【図７】図５に示すモルタル充填用袋体を備えた立坑用のライナープレートの断面図である。
【図８】本発明において用いる立坑用のライナープレートの一形態を示すものであって、（ａ）は一部切り欠き斜視図、（ｂ）は（ａ）の矢視断面図である。
【図９】図８に示すライナープレートを示すものであって、（ａ）は正面図、（ｂ）は平面図である。
【図１０】本発明のモルタル充填用袋体を備えた立坑用のライナープレートを用いて、立坑を構築する場合の説明図である。
【図１１】本発明のモルタル充填用袋体を備えた立坑用のライナープレートを用いて、立坑を構築する場合の説明図である。
【図１２】本発明のモルタル充填用袋体を備えた立坑用のライナープレートを用いて、立坑を構築する場合の説明図である。
【図１３】本発明のモルタル充填用袋体を備えた立坑用のライナープレートを用いて、立坑を構築する場合の説明図である。
【図１４】従来の立坑用のライナープレートを用いて立坑を構築した形態を示す説明図である。
【図１５】従来の立坑用のライナープレートを用いて立坑を構築した他の形態を示す説明図である。
【発明を実施するための形態】
【００２４】
次に、本発明を図示の実施形態に基づいて詳細に説明する。
【００２５】
図１〜図４には、本発明のモルタル充填用袋体１の一実施形態が示されている。前記のモルタル充填用袋体１に用いられる織布としては、例えば、ポリエステル系等の合成繊維を密に織った織布や、炭素繊維或いはガラス繊維等の無機繊維を密に織った織布等で、通気性がありかつ不透水性の織布を一重又は二重にした布地で、通気性がありかつ不透水性の布地とされ、そのような布地を、ライナープレート２等のライナープレートの背面側の形状に合わせて縫着幅を備えた寸法で裁断されて、例えば、図示のように左右方向に長い長方形状の正面側織布３及び背面側織布４と、これらの間に介在されて幅方向の両端部が、それぞれ前記正面側織布３と長方形状の背面側織布４とに縫着された周側面用の帯状織布５とにより、被接触面に適用するように変形して面接触可能な屈曲性のある横長の直方体状のモルタル充填用袋体本体１ａが構成されている。
【００２６】
前記長方形状の正面側織布３には、後記のライナープレート２における波形鋼板８に設けられている貫通孔６（図８参照）に対応する位置に、モルタル充填用の入り口が設けられ、その入り口に、モルタル充填用袋体と同様な材質からなる注入用筒状体７の基端側が連通するように縫着されている。前記注入用筒状体７の長手方向の中間部には、漏れ防止用紐１２が設けられている。
【００２７】
前記の正面側織布３の上端部には、取付部の一形態として、左右方向に延長するように、前記正面側織布３と同様な材質からなる織物製の取付片１３が設けられて、モルタル充填用袋体１が構成されている。前記取付片１３は、ライナープレート２の周方向の長さ寸法とされていることで、ライナープレート２における上部の周方向フランジ９の周方向の上面全面に配置可能にされている。
【００２８】
前記の取付片１３は、正面側織布３の裏生地を上方に突出するように、若干大きめの裏生地を用いることで形成されていても、所定幅の織物製の取付片１３の基端側を、正面側織布３の上端部に縫着されていても、周側面用の帯状織布５の端部と共に縫着されていてもよい。
【００２９】
前記漏れ防止用紐１２を備えていることで、前記注入用筒状体７内に、地上のモルタル搬送車からのモルタル充填用ホースを挿入した場合に、外側から前記漏れ防止用紐１２により固定して、モルタルの漏れを防止可能にしている。また、前記の漏れ防止用紐１２は、モルタル充填用袋体１が折り畳まれた状態で、トラック等で工場等から搬送されるため、適宜、矩形等に折り畳まれた状態を保持するために、注入用筒状体７に一端側が固定された梱包用の結束紐を利用している。
【００３０】
前記のようなモルタル充填用袋体１が、図８及び９に示すようなライナープレート２の背面に設置されて、図５〜図７に示すようなモルタル充填用袋体付きライナープレート２が構成されている。
【００３１】
ここで、図８及び図９に示す前記ライナープレート２の構造について簡単に説明すると、上下方向の断面が波形断面で、周方向に円弧状に湾曲した波形鋼板８の四辺に、連結孔としてのボルト挿通孔を有する上下両端部の周方向フランジ９及び軸方向に伸びる左右両端部の軸方向フランジ１０を一体に備えている。前記波形鋼板８の幅方向（上下方向の中央部）には、前記モルタル充填用袋体１における注入用筒状体７を挿通するための、貫通孔６が設けられ、その貫通孔６の直径は、注入用筒状体７の直径と略同じ直径又はその直径よりも僅かに小さくされて、注入用筒状体７の基端側にモルタルが充填された状態で、ライナープレート２側の貫通孔６がほぼ閉塞するようにされている。したがって、波形鋼板８側の貫通孔６には、バルブが特に設けられていない構造とされ、従来一般の波形鋼板よりも簡素な構造とされている。なお、前記各軸方向フランジ１０には、必要に応じ、水抜き孔１１が設けられている。
【００３２】
図５〜図７に示すように、前記のモルタル充填用袋体付ライナープレート１Ｂにおけるモルタル充填用袋体１の側が、地山側となるように配置されて、適宜、モルタル充填用袋体１の隅部等が両面テープや仮固定ボルト（図示を省略した。）により固定されている。なお、前記の両面テープや仮固定ボルトは、モルタル充填用袋体１をライナープレート２の組み立て時において一次的に固定される。モルタル充填用袋体１内にモルタル１８を充填した時におけるモルタル重量を支持するために強固に支持する必要はない。また、前記のモルタル充填用袋体１における注入用筒状体７が、ライナープレート２における波形鋼板８の貫通孔６に地山側である背面側から挿入されて、立坑内側である前面側に引き出されて、モルタル充填用袋体付きライナープレート１Ｂが形成されている。また、取付片１３がライナープレート２の上部の周方向フランジ９の上面に重ねるように折り曲げられ、周方向フランジ９のボルト挿通孔に合致するように予め設けられた取付片１３側のボルト挿通孔１４のピッチを合わせるか、現場においてシノ等の先鋭先端部を有する工具又は穿孔具によりボルト挿通孔を形成する。このようなモルタル充填用袋体付きライナープレート１Ｂは、工場において、ライナープレート２にモルタル充填用袋体１を組み込んで製造したものを現場に搬送してもよい。また、ライナープレート２とモルタル充填用袋体１とを別個に現場に搬入して、モルタル充填用袋体１をライナープレート２の背面に現場において組み立てるようにしてもよい。なお、前記取付片１３をライナープレート２の上部の周方向フランジ９の上面に重ねる場合に、適宜、仮固定ボルト又は両面テープ等を介在させて、取付片１３を周方向フランジ９に貼り付けておいてもよい。
【００３３】
次に、前記のようなモルタル充填用袋体付きライナープレート１Ｂを用いて、立坑１５を構築する場合の形態について、図１０〜図１２を参照して説明する。
【００３４】
図１０及び図１２に示す形態では、モルタル充填用袋体付きライナープレート１Ｂを、掘削部分１６内に先に接続された下端側のライナープレートリング１７の下側に、周方向に配置ピッチをずらして、例えば千鳥状に配置して組み立てて、立坑１５を下方に向って構築している途中の状態が示されている。前記の先に接続された下端側のライナープレートリング１７は、複数のモルタル充填用袋体付きライナープレート１Ｂにおける上部の周方向フランジ９を、その上側の先に接続されたライナープレートリング１７におけるライナープレート２の下部の周方向フランジ９にボルト・ナットにより固定し、モルタル充填用袋体内にモルタル１８を充填し、養生・硬化し、先に接続された下端側のライナープレートリング１７の下側に、新たに接続された下端ライナープレートリング２１を構築している途中の状態である。
【００３５】
新たに接続された下端ライナープレートリング２１は、モルタル充填用袋体付きライナープレート１Ｂが立坑内に搬送されて組み立てられ、先に接続されたライナープレートリング１７の下部の周方向フランジ９の下側に設けられる。取付片１３は、新設のモルタル充填用袋体付きライナープレート１Ｂにおける上部の周方向フランジ９の上面に重なるように折り曲げられ（図５ｂの上部に示す２点鎖線参照）、かつ、取付片１３には、その長手方向に間隔をおいて、工場において穿孔具又は現場においてシノ等の先鋭先端部を有する穴明け具により、ライナープレート２側の多数のボルト挿通孔に対応してほぼ合致するようにボルト挿通孔１４が設けられる。前記の取付片１３側のボルト挿通孔１４について、上下のライナープレートにおけるフランジ９間に挟んだ後に、先鋭先端部を有する鋼製穴明け工具をフランジ相互のボルト挿通孔に渡って貫通させることで、穿孔するようにしてもよい。モルタル充填用袋体付きライナープレート１Ｂを組み込む場合には、例えば、その周方向の一端側の仮固定ボルトを取り外した状態で、一端側を先に接続された下端側のライナープレートリング１７の下側に配置して、ボルトにより仮締めして組み込み、次いで、残りの部分の全部の仮固定ボルトを取り外して、モルタル充填用袋体付きライナープレート１Ｂの他端側を先に接続された下端ライナープレートリング１７の下側に水平回動するように配置し、ボルト・ナット２０により固定することで、組み込むことができる。ボルト・ナット２０と仮固定ボルトを兼ねることでもよい。
【００３６】
前記のようなモルタル充填用袋体付きライナープレート１Ｂが、先に接続されたモルタル充填用袋体付きライナープレート１Ｂの下側に設置されると共に、周方向に隣り合うモルタル充填用袋体付きライナープレート１Ｂ相互が、軸方向フランジ１０に渡って挿通されたボルト及びこれにねじ込まれたボルト・ナット２０により固定されて、新たに接続された下端ライナープレートリング２１が形成されている。
【００３７】
また、地上に配置されたモルタル充填用供給車（図示を省略した）から繰り出される供給用ホース２２の先端部が注入用筒状体７内に挿入され、注入用筒状体７の外側からワイヤー等により結束された状態で、モルタル１８がモルタル充填用袋体１内に充填され、同時にモルタル充填用袋体１内の空気を逃がしている。そして、モルタル充填用袋体１がモルタル１８の充填により膨出される。前記のようなモルタル充填作業を周方向の各モルタル充填用袋体付きライナープレート１Ｂに順次行う。このようにすることで、各モルタル充填用袋体付きライナープレート１Ｂのモルタル充填用袋体１にモルタル１８を膨出させる。そして、モルタル充填用袋体１の前面がライナープレート２における波形鋼板８の波凹部に食い込んだ状態で圧着し、また、モルタル充填用袋体１の地山側の背面が掘削部分１６の地山２３に食い込むように圧着される。また、その状態で、波形鋼板８内側の注入用筒状体７の基端側を絞るように、注入用筒状体７を自体で結んで縛るか、或いは前記漏れ防止用紐１２を取り付けて、モルタル充填用袋体１内のモルタル１８の養生・硬化を図る。前記のように、周方向の全てのモルタル充填用袋体１内にモルタル１８を充填することで、周方向に隣り合うモルタル充填用袋体１相互が密着した状態になるため、周方向の多数のモルタル充填用袋体１による連続した環状支持部２４を形成することができる。また、前記環状支持部２４は、上段側のライナープレートリングにおけるモルタル充填用袋体１に圧着した状態で配置されている。
【００３８】
本発明では、モルタル１８がモルタル充填用袋体１に充填されているため、前記の養生・硬化を図っている間に、図１１に示すように、さらに下側に新たに接続された下端ライナープレートリングを形成するべく、２点鎖線で示す底部地盤レベルから、掘削部分１６の底部地盤２５を下方に向って掘削して掘り下げて、実線で示す底部地盤レベルとし、新たなモルタル充填用袋体付きライナープレート１Ｂを設置する作業を連続して交互に行うことができる。
【００３９】
図１０及び図１１に示す形態では、上下方向に隣り合うライナープレートリングは、すべてモルタル充填用袋体付きライナープレート１Ｂが用いられてモルタル１８が充填されているため、余掘りによる隙間２６の部分は、モルタル１８が充填された多数のモルタル充填用袋体１により環状になって埋まるため、転石の落下の恐れもなく、強固な立坑を構築することができる。なお、一日の作業終了時の状態を、図１０に示すような状態、すなわち、余掘りによる隙間２６の部分は、モルタル１８が充填されたモルタル充填用袋体１により埋まった状態の新たに接続された下端ライナープレートリング２１とすることで、地山との一体化を確実に図ることができ、また、前記隙間２６の下端からの転石の恐れを排除し、及び掘削部分１６の内周壁が崩落する恐れを排除することができる。
【００４０】
所定の深さまでライナープレートリング２１（１７）を構築し、適宜、コンクリート製底版等を設けて、発進用の立坑１５又は到達用の立坑１５を構築する。
【００４１】
前記実施形態及び後記の実施形態も同様であるが、立坑１５を構築した後、所定の使用期間が経過した後に、撤去する場合でも、上下に隣り合うライナープレートリングにおけるモルタル充填用袋体付きライナープレート１Ｂ相互の周方向フランジ９を固定しているボルト・ナット２０及び周方向に隣り合うモルタル充填用袋体付きライナープレート１Ｂ相互の軸方向フランジ１０を固定しているボルト・ナット２０（図示を省略した。）を取り外すことで、モルタル充填用袋体付きライナープレート１Ｂを容易に地山から下方または半径方向内側に離して、分離し吊り上げて撤去することができるため、永久構造物としての立坑あるいは容易に撤去可能な仮設構造物としての立坑のいずれの場合でも対応可能である。
【００４２】
全てモルタル充填用袋体を備えたライナープレート２により立坑１５を構築する概略手順について、図１０及び１１を参照して簡単に説明すると、モルタル充填用袋体１を備えたライナープレート２を、掘削部分１６に構築された下端側の先に接続されたライナープレートリング１７の下側に配置し、かつ前記下端側の先に接続されたライナープレートリング１７のライナープレート２と前記モルタル充填用袋体を備えたライナープレート２との上下に隣り合うライナープレート２の周方向フランジ９間に取付片１３を挟んだ状態で配置し、上下に隣り合うライナープレート２の各周方向フランジ９と前記取付片１３とに渡って挿通されたボルト・ナット２０により、モルタル充填用袋体を固定する共にモルタル充填用袋体を備えたライナープレート２を固定し、周方向に隣り合うモルタル充填用袋体を備えたライナープレート２の軸方向フランジ１０相互を連結して、周方向全周に渡りモルタル充填用袋体を備えた新たに接続された下端ライナープレートリング２１を前記下端側の下端の先に接続されたライナープレートリング１７の下側に構築する。その後、地上におけるモルタル搬送車からの供給用ホース２２を注入用筒状体７に挿入した状態で、注入用筒状体７の外側からワイヤー或いは紐により縛り、その後、新たに接続された下端ライナープレートリング２１における個々のモルタル充填用袋体１内の空気を通気性繊維材又は通気性織物等の通気性を利用して追い出しながらその袋体内にモルタル１８を充填して、モルタル充填用袋体１をライナープレート２の波形鋼板に圧着すると共に掘削部分１６の内周面の地山に圧着して一体化する。また、周方向に隣り合うライナープレート２のモルタル充填用袋体１は、互いに密着した状態で、環状支持部２４を形成することができ、充填したモルタル１８が硬化した後には、安定した環状支持部２４になる。このようにすると、モルタル充填用袋体１の前面をライナープレート２に圧着し、モルタル充填用袋体１の地山側の背面を縦孔内周面の地山２３に圧着した状態でモルタル１８を養生・硬化することができるため、ライナープレート２とモルタル充填用袋体１と立坑内周面の地山との一体化を確実に図ることができる。
【００４３】
前記のように、上下方向の全てのライナープレートリングを、モルタル充填用袋体付きライナープレート１Ｂを用い、全てのモルタル充填用袋体１にモルタル１８を充填するようにしてもよいが、図１２に示すように、上下方向にライナープレートリングを一つおき、又はライナープレートリングを複数おきに、モルタル充填用袋体付きライナープレート１Ｂを用いたライナープレートリングとしてもよい。すなわち、ライナープレート２によるライナープレートリング２７と、モルタル充填用袋体１を備えたモルタル充填用袋体付きライナープレート１Ｂによるライナープレートリング２８とを、上下方向に交互に、又はライナープレートリングを２つずつ等適宜の組合せで、ライナープレートリングを複数備えた立坑１５としてもよい。モルタル充填用袋体１を備えたモルタル充填用袋体付ライナープレート１Ｂによるライナープレートリングを、先に接続されたライナープレートリングの下側に配置する場合には、前記のように、モルタル充填用袋体１を備えたモルタル充填用袋体付ライナープレート１Ｂにおける上部の周方向フランジ９上に重ねられる取付片１３を、先に接続されたライナープレートリングの下部の周方向フランジの下側に挟むようにして、モルタル充填用袋体１を備えたライナープレート２を配置して、周方向フランジ相互をボルト・ナット２０により結合すると共に、周方向に隣り合うモルタル充填用袋体１を備えたライナープレート２相互の軸方向フランジ相互をボルト・ナット２０（図示を省略した。）により結合し、個々のモルタル充填用袋体１内にモルタル１８を充填して、新たに接続された下端ライナープレートリングを構築するようにすればよい。また、モルタル充填用袋体１を備えていないライナープレート２は、前記新たに接続された下端ライナープレートリングを、先に接続されたライナープレートリングとして、その下側に先に接続されたライナープレートリングを構成しているライナープレート２における下部の周方向フランジ９に、新たなライナープレート２における上部の周方向フランジ９を、ボルト・ナット２０により連結すると共に、周方向に隣り合うライナープレート２相互の軸方向フランジ１０相互をボルト・ナットで連結することで、モルタル充填用袋体１を備えていない新たに接続するライナープレートリング２７を構築するようにすればよい。
【００４４】
次に、立坑を構築する場合には、例えば、先に接続されたライナープレートリングの下方の底部地盤２５の掘削による掘り下げと、先に接続されたライナープレートリングの下側への新たに接続するライナープレートリングの構築とを、交互に施工し、１０段〜２０段のライナープレートリングで深度５〜１５Ｍ〜２０Ｍ程度の立坑を構築する場合には、１日で施工が完了することができない場合が多く、複数日に渡り施工するようになる。このように１日で施工が完了しない場合に、１日の工程の終了時における新たに接続された下端ライナープレートリングの形態が、下端が開放された隙間２６を生じた形態で終了すると、ライナープレートリング下端側が開放されているため、掘削部分１６の内周面の地山が崩落する恐れが生じる。
【００４５】
そこで、本発明のライナープレート２によるライナープレートリングと、モルタル充填用袋体を備えたライナープレート２とによるライナープレートリングとを立坑の上下方向に、一つ又は複数置きに組み立てて、図１２に示すような立坑１５を構築する場合の手順について、簡単に説明する。
【００４６】
ライナープレート２によるライナープレートリングと、前記のようなモルタル充填用袋体を備えたライナープレート２とによるライナープレートリングとを、上下方向に複数ライナープレートリング備えた立坑を複数工程に分けて順次下方に向って構築する立坑の構築する場合には次のようにすればよい。ライナープレートリングを組み立ててその日の工程を終了し、複数日による各日の工程の最終状態では、モルタル充填用袋体１を備えたライナープレート１Ｂを、掘削部分１６内に構築された下端側の先に接続されたライナープレートリング１７の下側に配置する。そして前記下端側の先に接続されたライナープレートリング１７のライナープレート２と、前記モルタル充填用袋体１を備えたライナープレート１Ｂとの上下に隣り合うライナープレート２の周方向フランジ９間に取付片１３を挟んだ状態で配置する。そして、上下に隣り合うライナープレートの各周方向フランジ９と、それらの間の前記取付片１３とに渡って挿通されたボルト・ナット２０により、モルタル充填用袋体１の上端部を固定する。そして、周方向に隣り合うモルタル充填用袋体１を備えたライナープレート１Ｂの軸方向フランジ１０相互を連結して、モルタル充填用袋体１を備えたライナープレート１Ｂによる新たに接続された下端ライナープレートリング２１を、前記下端側の先に接続されたライナープレートリング１７の下側に構築する。その後、前記新たに接続された下端ライナープレートリング２１における個々のモルタル充填用袋体１内にモルタル１８を充填して、モルタル充填用袋体１をライナープレート２の波形鋼板８に圧着すると共に地山２３に圧着して一体化した状態で各工程を終了するようにしている。このようにすると、モルタル充填用袋体１を備えたライナープレート２を確実に設置して、モルタル充填用袋体１内にモルタル１８を確実に充填することができる。これにより、従来のように、モルタル１８の充填ために、隙間下端を閉塞するための下端閉塞用盛り土３５の形成及び立坑構築再開時における下端閉塞用盛り土３５の撤去作業も省略することができる。また、転石等も周方向のモルタル充填用袋体１による環状支持部２４により支承することができる。
【００４７】
前記のような場合には、モルタル１８が充填されたモルタル充填用袋体１を備えたライナープレート１Ｂによるライナープレートリング２８と、モルタル充填用袋体１を備えていないライナープレート２によるライナープレートリング２９とが形成され、モルタル充填用袋体１を備えていないライナープレート２によるライナープレートリング２９と、地山２３との間には、隙間２６が生じているため、前記の隙間２６をモルタル１８で埋める場合の施工方法としては、下記のような施工方法により立坑を構築するようにすればよい。
【００４８】
前記のような場合に、モルタル充填用袋体１を備えたライナープレート１Ｂによる新たに接続された下端ライナープレートリング２１を、前記下端側の先に接続されたライナープレートリング１７の下側に構築した後、前記新たに接続された下端ライナープレートリング２１における個々のモルタル充填用袋体１内にモルタル１８を充填して、モルタル充填用袋体１を膨張させて、ライナープレート２の波形鋼板８に圧着すると共に地山２３に圧着して一体化する。その状態で、モルタル充填用袋体１を備えたライナープレート２による新たに接続された下端ライナープレートリング２１の前記モルタル１８が充填された多数のモルタル充填用袋体１による環状支持部２４上の、一つ又は複数の先に接続されたライナープレートリング１７と地山２３との隙間２６に、モルタル充填用袋体１を備えていないライナープレート２の注入口からモルタル１８を充填して、前記モルタル１８の荷重を前記多数のモルタル充填用袋体１による環状支持部２４に支持させるようにすればよい。このようにすると、モルタル１８が充填されたモルタル充填用袋体１を備えたライナープレート２により、周方向に環状支持部２４を形成して、その上方に充填されるモルタル１８を確実に支承することができ、全ての充填されたモルタル１８が養生・硬化されることで、強固な立坑１５を容易に短工期で形成することができる。
【００４９】
前記のモルタル充填用袋体１を備えていないライナープレート２の注入口としては、貫通孔６の部分に、雌ねじ孔を有する表裏に貫通する鋼製の充填用筒体３０を備え、その充填用筒体３０の雌ねじ孔に、雄ねじ軸部をねじ込んだ着脱可能なプラグ３１を備えたライナープレート２を用いる場合には、前記のプラグ３１を外すことで充填用筒体３０による注入口とすればよい。
【００５０】
本発明を実施する場合、モルタル充填用袋体付ライナープレート１Ｂにおけるライナープレート２として、貫通孔６の部分に、雌ねじ孔を有する表裏に貫通する鋼製の充填用筒体３０を備え、その充填用筒体３０の雌ねじ孔に雄ねじ軸部をねじ込んだ着脱可能なプラグ３１を備えたライナープレート２を用いる場合には、前記のプラグ３１を外すことで充填用筒体３０の注入口となるため、前記充填用筒体３０内に、注入用筒状体７を通して、ライナープレート２の前面側に引き出すようにして、注入用筒状体７を前面側に配置すればよい。
【００５１】
また、本発明を実施する場合、モルタル充填用袋体１に設ける取付部１３は、実施例に記載した取付片とする態様以外に、袋体本体の上部を直接、上下に隣り合うライナープレートの間に挟んで取り付ける態様とする取付部としてもよい。このような場合には、袋体本体の上部にボルト挿通孔を設けるようにすればよい。
【００５２】
通気性を有する繊維材からなる袋体本体としては、例えば、織物製の袋体、繊維製のフェルト材、不織布等の材料を使用してもよい。
【００５３】
モルタル充填用袋体１の高さ寸法（立坑軸方向の高さ寸法）は、そのモルタル充填用袋体内にモルタルを充填した状態でも、ライナープレート２の高さ寸法以下とされている。これにより、モルタル充填用袋体を備えたライナープレートリングの下側に、新たなライナープレートを設置する場合に、モルタルが充填された袋体１に干渉することなく設置することができる。
【００５４】
また、モルタル充填用袋体１において、前記取付部１３は、ライナープレートの周方向の長さ寸法と略同じ寸法とされていると、周方向の全てのライナープレートの周方向フランジに設置した場合には、周方向の全ての取付部により周方向の全周に渡ってリング状に設置することができ、周方向のライナープレートにより構成されるライナープレートリング間の止水を確実にすることができる。
【００５５】
なお、本発明の場合には、モルタルを袋体内に充填しているため、立坑を撤去する場合には、袋体ごと撤去することでモルタルを撤去することができ、撤去する場合には、取付片１３等の取付部に適宜吊金具を取り付けて、ライナープレートとモルタルが充填された袋体とを別々に、容易に撤去できるようにされている。又は、取付片１３等の取付部とライナープレートの上フランジとに渡って適宜吊金具を取り付けて、ライナープレートと共モルタルが充填された袋体を容易に撤去することができるようにされている。
【符号の説明】
【００５６】
１  モルタル充填用袋体
１ａ  モルタル充填用袋本体
１Ｂ  モルタル充填用袋体付ライナープレート
２  ライナープレート
３  正面側織布
４  背面側織布
５  帯状織布
６  貫通孔
７  注入用筒状体
８  波形鋼板
９  周方向フランジ
１０  軸方向フランジ
１１  水抜き孔
１２  漏れ防止用紐
１３  取付部（取付片）
１４  ボルト挿通孔
１５  立坑
１６  掘削部分
１７  先に接続されたライナープレートリング
１８  モルタル
２０  ボルト・ナット
２１  新たに接続された下端ライナープレートリング
２２  供給用ホース
２３  地山
２４  環状支持部
２５  底部地盤
２６  隙間
２７  ライナープレートリング
２８  モルタル充填用袋体付きライナープレートリング
２９  モルタル充填用袋体を備えていないライナープレートリング
３０  充填用筒体
３１  プラグ
３３  モルタル層
３４  下端ライナープレートリング
３５  下端閉塞用盛り土
【図１】
0005823260.tif 000002
【図２】
0005823260.tif 000003
【図３】
0005823260.tif 000004
【図４】
0005823260.tif 000005
【図５】
0005823260.tif 000006
【図６】
0005823260.tif 000007
【図７】
0005823260.tif 000008
【図８】
0005823260.tif 000009
【図９】
0005823260.tif 000010
【図１０】
0005823260.tif 000011
【図１１】
0005823260.tif 000012
【図１２】
0005823260.tif 000013
【図１３】
0005823260.tif 000014
【図１４】
0005823260.tif 000015
【図１５】
0005823260.tif 000016